(57)【要約】【課題】広域無線通信量を削減しつつ、車載情報機器や携帯情報機器が必要とする情報を参照できる情報管理システムを得る。【解決手段】携帯情報機器３は、実体とそのインデックスの対からなる情報を格納した情報格納部２を有する情報管理サーバー１と近距離無線通信及び広域無線通信による通信可能に構成され、情報格納部２に格納された情報と同じ情報についてのインデックスを格納した情報格納部４を有し、情報管理サーバー１から情報の実体をダウンロードするたびにインデックスを更新し、この携帯情報機器３と近距離無線通信または有線通信による通信可能に構成された車載情報機器５は、携帯情報機器３からダウンロードした情報の実体とそのインデックスを格納した情報格納部を有するというシステム構成で、情報管理サーバー１と携帯情報機器３の間の通信には近距離無線通信が優先的に使用される。【選択図】図１
2014228912.tif 000002
【特許請求の範囲】
【請求項１】
実体とそのインデックスの対からなる情報を複数格納した第一の情報格納部を有する情報管理サーバー、
及び近距離無線通信及び広域無線通信によって上記情報管理サーバーと通信可能に構成され、上記第一の情報格納部に格納された全ての情報のうち、上記情報管理サーバーから実体をダウンロードした情報は当該実体及びそのインデックスを格納し、実体をダウンロードしていない情報は上記情報管理サーバーにおける実体に対するインデックスのみを格納した第二の情報格納部を有する携帯情報機器を備え、
上記情報管理サーバーと上記携帯情報機器との間の通信に当たっては、上記近距離無線通信が優先的に使用されることを特徴とする情報管理システム。
【請求項２】
上記情報管理サーバーは、上記携帯情報機器との間の近距離無線通信により、上記第二の情報格納部のインデックスを更新することを特徴とする請求項１記載の情報管理システム。
【請求項３】
上記第一の情報格納部に格納される情報が利用者によって更新された場合に、上記情報管理サーバーは、上記第一の情報格納部と上記第二の情報格納部のインデックスを更新することを特徴とする請求項２記載の情報管理システム。
【請求項４】
上記情報管理サーバーは、利用者が設定したスケジュールに従い、上記第二の情報格納部のインデックスを更新することを特徴とする請求項２記載の情報管理システム。
【請求項５】
上記携帯情報機器で情報を参照する場合に、上記第二の情報格納部のインデックスを一覧表示してその一つを利用者に選択させ、この選択された情報の実体が上記携帯情報機器にない場合には、上記情報管理サーバーからダウンロードすることを特徴とする請求項１〜請求項４のいずれか一項記載の情報管理システム。
【請求項６】
近距離無線通信または有線通信によって上記携帯情報機器と通信可能に構成され、上記携帯情報機器からダウンロードした上記情報の実体とそのインデックスを格納した第三の情報格納部を有する車載情報機器を備えたことを特徴とする請求項１〜請求項５のいずれか一項記載の情報管理システム。
【請求項７】
上記車載情報機器で情報を参照する場合で、上記携帯情報機器との間の通信が確立された場合には、上記第二の情報格納部のインデックスを一覧表示してその一つを利用者に選択させ、この選択された情報の実体が上記車載情報機器にない場合には、上記携帯情報機器からダウンロードすることを特徴とする請求項６記載の情報管理システム。
【請求項８】
上記車載情報機器で情報を参照する場合で、上記携帯情報機器との間の通信が確立されない場合には、上記第三の情報格納部のインデックスを一覧表示してその一つを利用者に選択させることを特徴とする請求項６または請求項７記載の情報管理システム。
【発明の詳細な説明】
【技術分野】
【０００１】
この発明は、携帯情報機器や車載情報機器が必要とする情報を、広域無線通信の通信量を削減しながら参照できる情報管理システムに関するものである。
【背景技術】
【０００２】
家庭に設置されているパーソナルコンピュータや企業に設置されているコンピュータ等、情報を保持しているコンピュータの情報を車載情報機器から参照する場合、車載通信モジュールや携帯電話・スマートフォンなどの広域無線通信網にアクセス可能な通信機器と車載情報機器を接続し、広域無線通信網を介して情報へアクセスすることが可能である。
例えば、音楽ファイルや動画ファイルなどの情報を家庭のコンピュータから、広域無線通信網を介して車載情報機器へダウンロードし、音楽や動画を再生して楽しむという使い方ができる。
特許文献１には、家庭内で用いられる情報機器と、車両に搭載されている情報機器との間で、広域無線通信網を介してデータを共有する技術が記載されている。
また、近年は、携帯電話やスマートフォン等の携帯情報機器の発達が著しく、音楽ファイルや動画ファイルを携帯情報機器に格納し、携帯情報機器を持ち運びながら音楽を再生して楽しんだり、さらに車載情報機器と携帯情報機器とを接続して、携帯情報機器の音楽を車載情報機器で再生して楽しむことが可能になっている。
【先行技術文献】
【特許文献】
【０００３】
【特許文献１】特開平１０−２３０７３号公報（第３〜７頁、第２図）
【発明の概要】
【発明が解決しようとする課題】
【０００４】
しかし、特許文献１に記載された技術によれば、車載情報機器に広域無線通信インタフェースを備えていなければならず、車載情報機器の価格が上がる欠点や、車両を使用していない時にも広域無線通信網を利用するためのサービスを維持する必要があるなどの欠点を有する。
そこで、携帯電話やスマートフォンを車載情報機器に接続して、携帯電話やスマートフォンの広域無線通信機能を利用して、遠隔地にあるコンピュータにアクセス可能とする技術や、携帯電話やスマートフォンに格納されている情報を車載情報機器で参照可能とする技術が登場し、上記欠点を改善すべく携帯電話やスマートフォンが活用されている。
しかしながら、携帯電話やスマートフォンの広域無線通信機能を使用すると電力が消費され、電池が消耗したり、また通信料金が発生する場合もあり、無駄な広域無線通信の利用を極力避けることが求められる。
【０００５】
この発明は、上述のような課題を解決するためになされたものであり、広域無線通信量を削減しつつ、車載情報機器や携帯情報機器が必要とする情報を参照できる情報管理システムを得ることを目的にする。
【課題を解決するための手段】
【０００６】
この発明に係わる情報管理システムにおいては、実体とそのインデックスの対からなる情報を複数格納した第一の情報格納部を有する情報管理サーバー、及び近距離無線通信及び広域無線通信によって情報管理サーバーと通信可能に構成され、第一の情報格納部に格納された全ての情報のうち、情報管理サーバーから実体をダウンロードした情報は当該実体及びそのインデックスを格納し、実体をダウンロードしていない情報は情報管理サーバーにおける実体に対するインデックスのみを格納した第二の情報格納部を有する携帯情報機器を備え、情報管理サーバーと携帯情報機器との間の通信に当たっては、近距離無線通信が優先的に使用されるものである。
【発明の効果】
【０００７】
この発明によれば、実体とそのインデックスの対からなる情報を複数格納した第一の情報格納部を有する情報管理サーバー、及び近距離無線通信及び広域無線通信によって情報管理サーバーと通信可能に構成され、第一の情報格納部に格納された全ての情報のうち、情報管理サーバーから実体をダウンロードした情報は当該実体及びそのインデックスを格納し、実体をダウンロードしていない情報は情報管理サーバーにおける実体に対するインデックスのみを格納した第二の情報格納部を有する携帯情報機器を備え、情報管理サーバーと携帯情報機器との間の通信に当たっては、近距離無線通信が優先的に使用されるので、無駄な広域無線通信を行わずに、通信量および携帯情報機器の電力の削減を図ることが可能となる。
【図面の簡単な説明】
【０００８】
【図１】この発明の実施の形態１による情報管理システムを示すシステム構成図である。
【図２】この発明の実施の形態１による情報管理システムでの情報のインデックスの格納形式を示す図である。
【図３】この発明の実施の形態１による情報管理システムの携帯情報機器での情報参照の動作を示すフローチャートである。
【図４】この発明の実施の形態１による情報管理システムの車載情報機器での情報参照の動作を示すフローチャートである。
【図５】この発明の実施の形態１による情報管理システムのインデックス更新の動作を示すフローチャートである。
【発明を実施するための形態】
【０００９】
実施の形態１．
以下、本発明の情報管理システムの好適な実施の形態について、図を用いて説明する。
図１は、この発明の実施の形態１による情報管理システムを示すシステム構成図である。
図１において、情報管理サーバー１は、内部に情報を管理するための情報格納部２（第一の情報格納部）を保持し、インデックスと実体の対で表現される情報を格納して管理する。通常のパーソナルコンピュータやワークステーションを用いて構築される。
携帯情報機器３は、携帯電話やスマートフォンなどで、後述する情報格納部４（第二の情報格納部）と通信機能を合わせ持つ。車載情報機器５は、後述する情報格納部６（第三の情報格納部）を持つ。車載情報機器５としては、カーナビゲーションなどが製品化されている。
【００１０】
近距離無線通信７は、情報管理サーバー１と携帯情報機器３との間の通信経路を形成し、図示しない無線ＬＡＮ機器や有線ネットワークを介して通信する構成としても良い。家庭や企業など、情報管理サーバー１を設置している特定の範囲内で、情報管理サーバー１と携帯情報機器３が近距離無線通信７により通信可能になっている。
広域無線通信８は、情報管理サーバー１と携帯情報機器３との別の通信経路を形成し、図示しないインターネット網やゲートウェイ装置、有線ネットワークを介して通信が可能になっている。
通信９は、車両に設置されている車載情報機器５と携帯情報機器３とが、車両の中で行う通信を示しており、この通信９は、利便性から近距離無線通信が好適であるが、有線接続して通信する有線通信としても良い。
【００１１】
図２は、この発明の実施の形態１による情報管理システムでの情報のインデックスの格納形式を示す図である。
図２（ａ）は情報格納部２のインデックス、図２（ｂ）は情報格納部４のインデックス、図２（ｃ）は情報格納部６のインデックスを示している。
図２において、情報格納部２、４、６に格納される情報は、インデックスと実体の対で構成される。それぞれのインデックスは、図２のように、ファイル名とファイルパスとで表現され、各ファイルシステム中のファイルパスで示される格納場所ファイルが実体である。
この実体は、通常のファイルシステムで管理されるファイルとして、情報管理サーバー１、携帯情報機器３、車載情報機器５が備えるファイルシステムに格納される。そして、格納されているファイルのインデックスが図２（ａ）、図２（ｂ）、図２（ｃ）に示すものである。
【００１２】
情報管理サーバー１には、管理対象となる情報のすべてが情報格納部２に格納されており、そのインデックスは、図２（ａ）のとおり、すべてのファイル名と情報管理サーバー１の備えるファイルシステムでのファイル格納場所を示すファイルパスとで表現される。図２（ａ）では、ファイル名１をもつファイルが、情報管理サーバー１のファイルシステムでファイルパス１に格納されていることを意味している。また管理している情報がＮ個存在していることを表している。
【００１３】
携帯情報機器３では、図２（ｂ）に示すように、情報管理サーバー１で管理しているファイルＮ個のインデックスを保持する。情報の実体であるファイルが携帯情報機器３に格納されている場合には、インデックスのファイルパスには、携帯情報機器の備えるファイルシステムのファイルパスが格納される。
ファイルが携帯情報機器３に格納されていない場合、すなわち情報管理サーバー１にのみ格納されている場合には、インデックスのファイルパスには情報管理サーバー１のファイルシステムのファイルパスが格納される。
図２（ｂ）では、ファイル名１とファイル名３のファイルは、携帯情報機器３に格納されているが、ファイル名２のファイルは、情報管理サーバー１にのみ格納されていることを意味する。なお、ファイルパスには、格納機器を示す識別符号、すなわち情報管理サーバー１あるいは携帯情報機器３を示す識別符号が含まれており、その識別符号により、各ファイルがどの機器に格納されているかを判断することができる。
【００１４】
車載情報機器５では、情報管理サーバー１の管理する情報の一部のみを情報格納部６に格納している。図２（ｃ）に示すように、そのインデックスは、ファイル名と車載情報機器５の備えるファイルシステムのファイル格納場所を示すファイルパスとで表現される。ファイルパスは、車載情報機器５のファイルパスのみであり、ファイルパスには車載情報機器５を示す識別符号が含まれている。図２（ｃ）では、格納している情報がＭ個存在していることを意味する。一部の情報のみ格納しているため、図２（ａ）におけるＮよりもＭは小さくなる。
【００１５】
次に、この発明の実施の形態１による情報管理システムの動作について説明する。
まず、図３のフローチャートにより、携帯情報機器３での情報参照の動作について説明する。
ステップＳ１で、情報の一覧として、情報格納部４のインデックスからファイル名の一覧を携帯情報機器３の表示部へ表示する。表示部は、通常の携帯電話やスマートフォン等が備えるディスプレイである。ステップＳ２で、利用者は、参照したい情報をファイル名を選択することで、携帯情報機器３へ指示する。
【００１６】
ステップＳ３では、指示されたファイル名をもつファイルが同じ携帯情報機器３内に存在するか否かを判定する。携帯情報機器３の情報格納部４のインデックスは、図２（ｂ）のような形式で表現されているので、指示されたファイル名に対応するファイルパスが携帯情報機器３の識別符号を持つパスであれば、携帯情報機器３にファイルが存在し、ファイルパスが情報管理サーバー１の識別符号を持つパスであれば、携帯情報機器３にファイルが存在しないと判定する。
ファイルが携帯情報機器３内に存在する場合は、ステップＳ４へ進み、ファイルが携帯情報機器３内に存在しない場合、すなわち情報管理サーバー１に存在する場合には、ステップＳ６へ進む。
【００１７】
ステップＳ４で、携帯情報機器３は、インデックスのファイルパスで指示されるファイルを携帯情報機器３のファイルシステムから読む込む。ステップＳ５で、そのファイルの内容を表示する。通常、ファイルは、ファイル内容を表示するアプリケーションと関連付けされているので、内容を表示するためアプリケーションを実行することになる。ファイル内容が音楽や動画であれば、音楽や動画が再生される。
【００１８】
ステップＳ６では、携帯情報機器３と情報管理サーバー１との間で、通信経路を確立する処理が実行される。このとき、携帯情報機器３と情報管理サーバー１との間が、近距離無線通信７で接続可能な場合には、近距離無線通信７を通信経路として優先して使用する。
近距離無線通信７で接続できない場合には、広域無線通信８を使用して通信経路を確立する。そして、ステップＳ７で、ファイルパスで指定されるファイルを情報管理サーバー１から携帯情報機器３へダウンロードする。
【００１９】
ステップＳ８では、携帯情報機器３にダウンロードしたファイルを、携帯情報機器３が備えるファイルシステムを使って携帯情報機器３内へ格納する。
ステップＳ９では、携帯情報機器３において、ステップＳ２で選択されたファイル名をもつインデックスのファイルパスを、格納したファイルのファイルパスに変更する。従って、次に同じファイル名をもつ情報が参照されるときには、再度、情報管理サーバー１へ接続して、ファイルをダウンロードする必要はなくなる。
以降、ステップＳ４へ進み、上記と同様、ファイルを読み込み、ファイル内容を表示する処理を実行する。
【００２０】
以上のように、情報管理サーバー１の管理情報を表現するインデックスを携帯情報機器３で使用することで、管理する情報の一覧を参照して、携帯情報機器３内に存在する情報と情報管理サーバー１にしか存在しない情報とを判別できるので、情報管理サーバー１に対して無駄に広域無線通信することがなくなる。
逆に、インデックスが携帯情報機器３にない場合には、情報の一覧を取得するため、近距離無線通信で接続できない距離では、情報管理サーバー１に広域無線通信で接続する必要があり、無駄な広域無線通信が発生することになる。また、広域無線通信の通信量が増加すると、携帯情報機器３の電力を消費することになる。
【００２１】
次に、車載情報機器５で情報参照する場合の動作を、図４のフローチャートを使って説明する。
まず、ステップＳ１１で、車載情報機器５と携帯情報機器３との間での通信９の接続の有無を判定する。このとき、携帯情報機器３は、車両内に持ち込まれており、通信９は近距離無線通信あるいは有線通信である。通信９の接続が確立されているときには、ステップＳ１６へ進み、確立されていないときは、ステップＳ１２へ進み、車載情報機器５内の情報のみを参照する処理となる。
【００２２】
ステップＳ１２では、車載情報機器５の情報格納部６に格納されている情報のインデックス、すなわち図２（ｃ）を使い、情報の一覧として、インデックスのファイル名一覧を車載情報機器５の表示部へ表示する。表示部はカーナビゲーション等の車載情報機器５が備えるディスプレイである。
ステップＳ１３で、利用者は、参照したい情報をファイル名を選択することで、車載情報機器５へ指示する。ここで表示されたファイル名をもつファイルは、すべて車載情報機器５に格納されているファイルである。
【００２３】
ステップＳ１４では、指定されたファイル名のファイルパスをインデックスから読み出して、そのファイルパスのファイルを読み込む。ステップ１５で、ファイル内容を表示する。内容を表示するため、図３の動作と同様、車載情報機器５でアプリケーションを実行する。
【００２４】
ステップＳ１６では、車載情報機器５と接続されている携帯情報機器３の情報格納部４のインデックスのファイル名一覧を車載情報機器５へ読み込み、ファイル名を車載情報機器５の表示部へ表示する。ステップＳ１７で、利用者は、参照したい情報をファイル名を選択することで、車載情報機器５へ指示する。
【００２５】
ステップＳ１８では、指定されたファイル名が車載情報機器５内に存在するか否かを、情報格納部６のインデックス、すなわち図２（ｃ）にファイル名が存在するか否かで判定する。インデックスにファイル名が存在する場合、車載情報機器５内にファイルが存在するので、ステップＳ１４へ進み、上記と同様、ファイルを読み込み、ファイル内容を表示する処理が実行される。
インデックスにファイル名が存在しない場合には、車載情報機器５内にファイルが存在しないので、ステップＳ１９へ進む。
【００２６】
ステップＳ１９では、指示されたファイル名をもつファイルが、携帯情報機器３内に存在するか否かを確認する。情報格納部４から読み込んだインデックスにおいて、図３の動作と同様、指示されたファイル名に対応するファイルパスが、携帯情報機器３の識別符号を持つパスであれば、携帯情報機器３にファイルが存在し、ファイルパスが、情報管理サーバー１の識別符号を持つパスであれば、携帯情報機器３にファイルが存在せず、ファイルパスで指定される情報管理サーバー１上に格納されていると判定する。
ファイルが携帯情報機器３内に存在する場合は、ステップＳ２０へ進み、ファイルが携帯情報機器３内に存在しない場合、すなわち情報管理サーバー１に存在する場合には、ステップＳ２１へ進む。
【００２７】
ステップＳ２０では、インデックスのファイルパスで指示されるファイルを、通信９の通信経路を使って、携帯情報機器３から車載情報機器５へ読む込み、ステップＳ２５で、そのファイルの内容を車載情報機器５の表示部へ表示する。内容を表示するため、上記と同様、車載情報機器５でアプリケーションを実行する。
【００２８】
ステップＳ２１では、携帯情報機器３が、情報管理サーバー１との通信経路を広域無線通信８を使用して確立する。そして、ステップＳ２２で、ファイルパスで指定されるファイルを情報管理サーバー１から携帯情報機器３へダウンロードする。
【００２９】
ステップＳ２３では、携帯情報機器３がダウンロードしたファイルを、携帯情報機器３のファイルシステムを使って携帯情報機器３内へ格納する。ステップＳ２４では、情報格納部４のインデックスにおいて、ステップＳ１７で選択されたファイル名をもつインデックスのファイルパスを、携帯情報機器３に格納したファイルパスに変更する。従って、次に同じファイル名をもつ情報が参照されるときには、再度、情報管理サーバー１へ接続し
てファイルをダウンロードする必要はなくなる。
以降、ステップＳ２０へ進み、上記と同様、ファイルを読み込み、ステップＳ２５で、ファイル内容を表示する処理を実行する。
【００３０】
ステップＳ２６では、携帯情報機器３から車載情報機器５に読み込んだファイルを、車載情報機器５のファイルシステムを使って車載情報機器５内へ格納する。ステップＳ２７では、情報格納部６のインデックスにおいて、ステップＳ１７で選択されたファイル名をもつインデックスのファイルパスを、車載情報機器５に格納したファイルのファイルパスとする。従って、次に同じファイル名をもつ情報が参照されるときには、携帯情報機器３が接続されていなくても、車載情報機器５のみで情報を参照することができる。
【００３１】
以上のように、情報管理サーバー１の管理情報を表現する携帯情報機器３のインデックスと、車載情報機器５のインデックスとを併用することで、管理する情報の一覧を参照して、車載情報機器５および携帯情報機器３内に存在する情報と、情報管理サーバー１にしか存在しない情報とを判別できるので、情報管理サーバー１に対して無駄に広域無線通信することがなくなる。
これにより、広域無線通信の通信量が低減され、携帯情報機器３の電力消費が抑えられ、電池の消耗も抑えられる。
【００３２】
次に、情報管理サーバー１と携帯情報機器３との間でインデックスを更新する動作を図５のフローチャートを使って説明する。この動作は、情報管理サーバーの動作である。
ステップＳ３１では、情報管理サーバー１の管理する情報が、利用者によって変更された場合に、ステップＳ３２へ進み、変更がない場合には、ステップＳ３５へ進む。
【００３３】
ステップ３２では、管理情報の変更に応じて、情報格納部２のインデックスを更新する。情報の追加・削除・ファイルパスの変更などに応じて、インデックスを修正する。
すなわち、情報が追加された場合には、インデックスの項目を追加し、情報が削除された場合には、インデックスの項目を削除し、ファイルが移動した場合には、ファイル名に対応するファイルパスを移動先のファイルパスへ修正するなど、情報管理の手段に応じて、インデックスを更新する手段が実行される。
【００３４】
ステップＳ３３では、情報管理サーバー１から携帯情報機器３へ近距離無線通信７で接続が確立できるか否かを判定する。接続が確立できる場合には、ステップＳ３４へ進み、接続が確立できない場合には、ステップＳ３６へ進む。
ステップＳ３４では、情報管理サーバー１の情報格納部２のインデックスに基づき、携帯情報機器３の情報格納部４のインデックスを更新する処理が実行される。
【００３５】
インデックスを更新する処理では、情報管理サーバー１のインデックスのファイル名をもとに、携帯情報機器３のファイル名が情報管理サーバー１のインデックスのファイル名と一致するように、項目が増減される。
次に、携帯情報機器３のインデックスにおいて、ファイルパスが携帯情報機器３のファイルパスになっていない項目について、そのファイルパスを情報管理サーバー１のファイルパスに置き換える。このようにインデックスを更新することで、携帯情報機器３において、携帯情報機器３内に格納されているファイルと、情報管理サーバー１に格納されているファイルとを判別できるように、インデックスを管理することができる。
なお、インデックスを更新する方法については、上記方法に限るわけではなく、携帯情報機器３で  情報管理サーバー１に格納されている情報と、携帯情報機器３内に格納されている情報の識別が可能となるようインデックスを更新できれば良い。
【００３６】
ステップＳ３６では、情報管理サーバー１でのインデックスの更新処理を利用者が中止するなどにより、更新処理が終了されたか否かを判定する。更新処理が終了されない場合には、ステップＳ３１に戻り、インデックスの更新処理を継続して実行する。
【００３７】
ステップＳ３５では、利用者が、情報管理サーバー１において、インデックスを更新する時刻（インデックス同期の設定時刻）を設定している場合に、その時刻であれば、ステップＳ３３へ進み、携帯情報機器３と近距離無線通信７の接続を試み、インデックスを更新する処理を実行する。
インデックスを更新する時刻を設定していない場合や、設定時刻でない場合には、ステップＳ３６へ進む。
このような時刻による更新処理の機会を設けることにより、ステップＳ３３において、携帯情報機器３との近距離無線通信７による通信経路が確立できない場合があっても、定期的に接続を試みる機会が発生するので、インデックスを更新する機会が増えることになる。
【００３８】
以上のように、情報管理サーバー１と携帯情報機器３との間で近距離無線通信７による通信経路が確立できる機会に、携帯情報機器３の情報格納部４に格納されているインデックスを更新することによって、携帯情報機器３のインデックスを最新に維持することができる。
これにより、携帯情報機器３が、情報管理サーバー１の近距離無線通信７の通信範囲外にあるときにも、最新のインデックスを利用できることになり、無駄な広域無線通信の通信量を削減できる。
広域無線通信８は、近距離無線通信７で接続できない場合に、情報管理サーバー１の管理する情報一覧と情報の実体であるファイルを格納しているファイルパスを知るために必要となるが、図５のように、近距離無線通信７で接続が確立できるときにインデックスを更新しておくことで、インデックスを得るために広域無線通信を使用しなくても良くなる。従って、広域無線通信の通信量を削減することができる。
【００３９】
実施の形態１によれば、携帯情報機器と情報管理サーバーとの間の通信に、近距離無線通信を優先して用いることで、携帯情報機器は、情報管理サーバーの保有するファイルを得るために広域無線通信を使用する機会を少なくすることができる。
これにより、広域無線通信の通信量を削減することができる。
【００４０】
なお、本発明は、その発明の範囲内において、実施の形態を適宜、変形、省略することが可能である。
【符号の説明】
【００４１】
１  情報管理サーバー、２  情報格納部、３  携帯情報機器、４  情報格納部、
５  車載情報機器、６  情報格納部、７  近距離無線通信、８  広域無線通信、
９  通信。
【図２】
2014228912.tif 000003
【図３】
2014228912.tif 000004
【図４】
2014228912.tif 000005
【図５】
2014228912.tif 000006
【図１】
2014228912.tif 000007
【手続補正書】
【提出日】平成26年3月31日(2014.3.31)
【手続補正１】
【補正対象書類名】特許請求の範囲
【補正対象項目名】全文
【補正方法】変更
【補正の内容】
【特許請求の範囲】
【請求項１】
実体とそのインデックスの対からなる情報を複数格納した第一の情報格納部を有する情報管理サーバー、
及び近距離無線通信及び広域無線通信によって上記情報管理サーバーと通信可能に構成され、上記第一の情報格納部に格納された全ての情報のうち、上記情報管理サーバーから実体をダウンロードした情報は当該実体及びそのインデックスを格納し、実体をダウンロードしていない情報は上記情報管理サーバーにおける実体に対するインデックスのみを格納した第二の情報格納部を有する携帯情報機器を備え、
上記携帯情報機器で情報を参照するに当たって、上記情報管理サーバーとの間の通信が確立されていない場合にも、上記第二の情報格納部のインデックスを一覧表示してその一つを利用者に選択させ、
この選択された情報の実体が上記携帯情報機器にある場合には、当該情報の実体を表示し、
上記携帯情報機器にない場合には、上記情報管理サーバーとの間の通信を確立した上、上記情報管理サーバーから当該情報の実体をダウンロードして、表示することを特徴とする情報管理システム。
【請求項２】
上記情報管理サーバーは、上記携帯情報機器との間の近距離無線通信により、上記第二の情報格納部のインデックスを更新することを特徴とする請求項１記載の情報管理システム。
【請求項３】
上記第一の情報格納部に格納される情報が利用者によって更新された場合に、上記情報管理サーバーは、上記第一の情報格納部と上記第二の情報格納部のインデックスを更新することを特徴とする請求項２記載の情報管理システム。
【請求項４】
上記情報管理サーバーは、利用者が設定したスケジュールに従い、上記第二の情報格納部のインデックスを更新することを特徴とする請求項２記載の情報管理システム。
【請求項５】
近距離無線通信または有線通信によって上記携帯情報機器と通信可能に構成され、上記携帯情報機器からダウンロードした上記情報の実体とそのインデックスを格納した第三の情報格納部を有する車載情報機器を備えたことを特徴とする請求項１〜請求項４のいずれか一項記載の情報管理システム。
【請求項６】
上記車載情報機器で情報を参照する場合で、上記携帯情報機器との間の通信が確立された場合には、上記第二の情報格納部のインデックスを一覧表示してその一つを利用者に選択させ、この選択された情報の実体が上記車載情報機器にない場合には、上記携帯情報機器からダウンロードすることを特徴とする請求項５記載の情報管理システム。
【請求項７】
上記車載情報機器で情報を参照する場合で、上記携帯情報機器との間の通信が確立されない場合には、上記第三の情報格納部のインデックスを一覧表示してその一つを利用者に選択させることを特徴とする請求項５または請求項６記載の情報管理システム。
【手続補正２】
【補正対象書類名】明細書
【補正対象項目名】０００６
【補正方法】変更
【補正の内容】
【０００６】
この発明に係わる情報管理システムにおいては、実体とそのインデックスの対からなる情報を複数格納した第一の情報格納部を有する情報管理サーバー、及び近距離無線通信及び広域無線通信によって情報管理サーバーと通信可能に構成され、第一の情報格納部に格納された全ての情報のうち、情報管理サーバーから実体をダウンロードした情報は当該実体及びそのインデックスを格納し、実体をダウンロードしていない情報は情報管理サーバーにおける実体に対するインデックスのみを格納した第二の情報格納部を有する携帯情報機器を備え、携帯情報機器で情報を参照するに当たって、情報管理サーバーとの間の通信が確立されていない場合にも、第二の情報格納部のインデックスを一覧表示してその一つを利用者に選択させ、この選択された情報の実体が携帯情報機器にある場合には、当該情報の実体を表示し、携帯情報機器にない場合には、情報管理サーバーとの間の通信を確立した上、情報管理サーバーから当該情報の実体をダウンロードして、表示するものである。
【手続補正３】
【補正対象書類名】明細書
【補正対象項目名】０００７
【補正方法】変更
【補正の内容】
【０００７】
この発明によれば、実体とそのインデックスの対からなる情報を複数格納した第一の情報格納部を有する情報管理サーバー、及び近距離無線通信及び広域無線通信によって情報管理サーバーと通信可能に構成され、第一の情報格納部に格納された全ての情報のうち、情報管理サーバーから実体をダウンロードした情報は当該実体及びそのインデックスを格納し、実体をダウンロードしていない情報は情報管理サーバーにおける実体に対するインデックスのみを格納した第二の情報格納部を有する携帯情報機器を備え、携帯情報機器で情報を参照するに当たって、情報管理サーバーとの間の通信が確立されていない場合にも、第二の情報格納部のインデックスを一覧表示してその一つを利用者に選択させ、この選択された情報の実体が携帯情報機器にある場合には、当該情報の実体を表示し、携帯情報機器にない場合には、情報管理サーバーとの間の通信を確立した上、情報管理サーバーから当該情報の実体をダウンロードして、表示するので、無駄な広域無線通信を行わずに、通信量および携帯情報機器の電力の削減を図ることが可能となる。
【手続補正書】
【提出日】平成26年7月24日(2014.7.24)
【手続補正１】
【補正対象書類名】特許請求の範囲
【補正対象項目名】全文
【補正方法】変更
【補正の内容】
【特許請求の範囲】
【請求項１】
実体とその格納場所を示すパス情報を含むインデックスとの対からなる情報を複数格納した第一の情報格納部を有する情報管理サーバー、
及び近距離無線通信及び広域無線通信によって上記情報管理サーバーと通信可能に構成され、上記第一の情報格納部に格納された全ての情報のうち、上記情報管理サーバーから実体をダウンロードした情報は当該実体及びその格納場所を示すパス情報が更新されたインデックスを格納し、実体をダウンロードしていない情報は上記第一の情報格納部に格納されているインデックスのみを格納した第二の情報格納部を有する携帯情報機器を備え、
上記携帯情報機器で情報を参照するに当たって、上記情報管理サーバーとの間の通信が確立されていない場合にも、上記第二の情報格納部のインデックスを一覧表示してその一つを利用者に選択させ、
この選択された情報の実体が上記携帯情報機器にある場合には、当該情報の実体を表示し、
上記携帯情報機器にない場合には、上記情報管理サーバーとの間の通信を確立した上、上記情報管理サーバーから上記インデックスのパス情報で指定される当該情報の実体をダウンロードして、表示することを特徴とする情報管理システム。
【請求項２】
上記情報管理サーバーは、上記携帯情報機器との間の近距離無線通信により、上記第二の情報格納部のインデックスを更新することを特徴とする請求項１記載の情報管理システム。
【請求項３】
上記第一の情報格納部に格納される情報が利用者によって更新された場合に、上記情報管理サーバーは、上記第一の情報格納部と上記第二の情報格納部のインデックスを更新することを特徴とする請求項２記載の情報管理システム。
【請求項４】
上記情報管理サーバーは、利用者が設定したスケジュールに従い、上記第二の情報格納部のインデックスを更新することを特徴とする請求項２記載の情報管理システム。
【請求項５】
近距離無線通信または有線通信によって上記携帯情報機器と通信可能に構成され、上記携帯情報機器からダウンロードした上記情報の実体とそのインデックスを格納した第三の情報格納部を有する車載情報機器を備えたことを特徴とする請求項１〜請求項４のいずれか一項記載の情報管理システム。
【請求項６】
上記車載情報機器で情報を参照する場合で、上記携帯情報機器との間の通信が確立された場合には、上記第二の情報格納部のインデックスを一覧表示してその一つを利用者に選択させ、この選択された情報の実体が上記車載情報機器にない場合には、上記携帯情報機器からダウンロードすることを特徴とする請求項５記載の情報管理システム。
【請求項７】
上記車載情報機器で情報を参照する場合で、上記携帯情報機器との間の通信が確立されない場合には、上記第三の情報格納部のインデックスを一覧表示してその一つを利用者に選択させることを特徴とする請求項５または請求項６記載の情報管理システム。
【手続補正２】
【補正対象書類名】明細書
【補正対象項目名】０００６
【補正方法】変更
【補正の内容】
【０００６】
この発明に係わる情報管理システムにおいては、実体とその格納場所を示すパス情報を含むインデックスとの対からなる情報を複数格納した第一の情報格納部を有する情報管理サーバー、及び近距離無線通信及び広域無線通信によって情報管理サーバーと通信可能に構成され、第一の情報格納部に格納された全ての情報のうち、情報管理サーバーから実体をダウンロードした情報は当該実体及びその格納場所を示すパス情報が更新されたインデックスを格納し、実体をダウンロードしていない情報は第一の情報格納部に格納されているインデックスのみを格納した第二の情報格納部を有する携帯情報機器を備え、携帯情報機器で情報を参照するに当たって、情報管理サーバーとの間の通信が確立されていない場合にも、第二の情報格納部のインデックスを一覧表示してその一つを利用者に選択させ、この選択された情報の実体が携帯情報機器にある場合には、当該情報の実体を表示し、携帯情報機器にない場合には、情報管理サーバーとの間の通信を確立した上、情報管理サーバーからインデックスのパス情報で指定される当該情報の実体をダウンロードして、表示するものである。
【手続補正３】
【補正対象書類名】明細書
【補正対象項目名】０００７
【補正方法】変更
【補正の内容】
【０００７】
この発明によれば、実体とその格納場所を示すパス情報を含むインデックスとの対からなる情報を複数格納した第一の情報格納部を有する情報管理サーバー、及び近距離無線通信及び広域無線通信によって情報管理サーバーと通信可能に構成され、第一の情報格納部に格納された全ての情報のうち、情報管理サーバーから実体をダウンロードした情報は当該実体及びその格納場所を示すパス情報が更新されたインデックスを格納し、実体をダウンロードしていない情報は第一の情報格納部に格納されているインデックスのみを格納した第二の情報格納部を有する携帯情報機器を備え、携帯情報機器で情報を参照するに当たって、情報管理サーバーとの間の通信が確立されていない場合にも、第二の情報格納部のインデックスを一覧表示してその一つを利用者に選択させ、この選択された情報の実体が携帯情報機器にある場合には、当該情報の実体を表示し、携帯情報機器にない場合には、情報管理サーバーとの間の通信を確立した上、情報管理サーバーからインデックスのパス情報で指定される当該情報の実体をダウンロードして、表示するので、無駄な広域無線通信を行わずに、通信量および携帯情報機器の電力の削減を図ることが可能となる。